(57)【要約】【課題】比較的容易な機能追加で、高品位の画像表示及び低消費電力化、さらには汎用性ある画像表示を実現し得る画像処理装置、画像処理方法及び通信端末装置を提供すること。【解決手段】撮像された画像を、表示手段及び画像符号化手段において各々必要とされる画像サイズに縮小することにより、高品位の表示画像及び符号化画像を得ることにより、表示手段に表示する画像及び画像符号化手段によって符号化する画像を撮像された画像からその画像品質を劣化させることなく得ることができる。【選択図】　　　図２
2004140613.tif 000002
【特許請求の範囲】
【請求項１】
撮像された画像のデータを符号化する画像符号化手段と、
前記撮像された画像を表示する表示手段と、
前記撮像された画像のサイズを、必要に応じて、前記画像符号化前に縮小処理する第１の画像縮小手段と、
前記撮像された画像のサイズを、必要に応じて、前記表示前に縮小処理する第２の画像縮小手段と、
を具備することを特徴とする画像処理装置。
【請求項２】
撮像された画像のデータを符号化する画像符号化手段と、
前記撮像された画像を表示する表示手段と、
前記撮像された画像を前記画像符号化手段及び前記表示手段において必要とされる最大の画像サイズに縮小する第１の縮小手段と、
前記第１の縮小手段によって縮小された画像を、前記画像符号化手段及び又は前記表示手段で必要とされる画像サイズに縮小する第２の縮小手段と、
を具備することを特徴とする画像処理装置。
【請求項３】
前記第１の縮小手段は、前記画像のアスペクト比を変更する手段を更に具備することを特徴とする請求項２記載の画像処理装置。
【請求項４】
撮像された画像のデータを必要に応じて符号化する画像符号化手段と、
前記撮像された画像又は前記符号化された画像のいずれかを選択的に出力する選択手段と、
前記選択手段から出力される前記撮像された画像を表示する表示手段と、
前記撮像された画像及び又は前記符号化された画像を縮小処理する縮小手段と、
を具備することを特徴とする画像処理装置。
【請求項５】
撮像された画像のデータを符号化する画像符号化工程と、
前記撮像された画像を表示する表示工程と、
前記撮像された画像のサイズを、必要に応じて、前記画像符号化前に縮小処理する第１の画像縮小工程と、
前記撮像された画像のサイズを、必要に応じて、前記表示前に縮小処理する第２の画像縮小工程と、
を具備することを特徴とする画像処理方法。
【請求項６】
撮像された画像のデータを符号化する画像符号化工程と、
前記撮像された画像を表示する表示工程と、
前記撮像された画像を前記画像符号化工程及び前記表示工程において必要とされる最大の画像サイズに縮小する第１の縮小工程と、
前記第１の縮小工程によって縮小された画像を、前記画像符号化工程及び又は前記表示工程で必要とされる画像サイズに縮小する第２の縮小工程と、
を具備することを特徴とする画像処理方法。
【請求項７】
前記第１の縮小工程では、前記画像のアスペクト比を変更する工程を更に具備することを特徴とする請求項６記載の画像処理方法。
【請求項８】
撮像された画像のデータを必要に応じて符号化する画像符号化工程と、
前記撮像された画像又は前記符号化された画像のいずれかを選択的に出力する選択工程と、
前記選択工程を介して出力される前記撮像された画像を表示する表示工程と、
前記撮像された画像及び又は前記符号化された画像を縮小処理する縮小工程と、
を具備することを特徴とする画像処理方法。
【請求項９】
通信手段を有する通信端末装置であって、
撮像された画像のデータを符号化する画像符号化手段と、
前記撮像された画像を表示する表示手段と、
前記撮像された画像のサイズを、必要に応じて、前記画像符号化前に縮小処理する第１の画像縮小手段と、
前記撮像された画像のサイズを、必要に応じて、前記表示前に縮小処理する第２の画像縮小手段と、
を具備することを特徴とする通信端末装置。
【発明の詳細な説明】
【０００１】
【発明の属する技術分野】
本発明は、画像を撮像し、撮像された画像の記録及び表示を行う画像処理装置、画像処理方法及び通信端末装置に関する。
【０００２】
【従来の技術】
従来、携帯電話装置に代表される通信端末装置においては、その表示部に、カラー画像を表示するものや動画像を表示するものがあり、その表示画面も大画面を有するものがある。また、これらの通信端末装置では、ＣＣＤ（Ｃｈａｒｇｅ　Ｃｏｕｐｌｅｄ　Ｄｅｖｉｃｅ）等の撮像素子を用いて画像を撮像し得るものもある。これにより、携帯電話機等の通信端末装置では、取り扱う画像データの大容量化が進んでいる。
【０００３】
従来の通信端末装置では、装置全体の制御を行うＭＰＵ（Ｍｉｃｒｏ　Ｐｒｏｃｅｓｓｏｒ　Ｕｎｉｔ）を有するメインプロセッサに画像表示インターフェース及び画像入力インターフェースを搭載し、それらを画像表示装置及び画像撮像装置と直結し、ＭＰＵから液晶表示素子に画素データを転送する方法が用いられている。
【０００４】
すなわち、図１４は従来の通信端末装置１の構成のうち、特に画像撮像装置及び画像表示装置を抽出して示したブロックであり、通信端末装置１は、カメラモジュール２において、撮像部３は、ＣＣＤ等の撮像素子によって被写体画像を光電変換し、信号処理部４に供給する。
【０００５】
信号処理部４は、撮像部３から供給された撮像信号を、輝度及び色差成分からなるＹＵＶデータに変換し、これをメインプロセッサ７のカメラインターフェース（Ｉ／Ｆ）に供給する。この場合、信号処理部４は、ＹＵＶデータを画素単位で転送するためのピクセルクロック（ｐｃｌｋ）、水平同期信号及び垂直同期信号を含む同期信号（ｓｙｎｃ）をＹＵＶデータとともにメインプロセッサ７に供給する。
【０００６】
カメラインターフェース８は、信号処理部４からのＹＵＶデータを一旦バッファリングした後、これを順次バス変換部１３を介してＲＡＭ（Ｒａｎｄｏｍ　Ａｃｃｅｓｓ　Ｍｅｍｏｒｙ）１４に格納する。
【０００７】
バス変換部１３は、高速でデータ転送されるメインプロセッサ７の内部と、低速でデータ転送される外部との間で、データ転送に伴ってタイミング調整を行うものである。
【０００８】
ＲＡＭ１４に格納されたＹＵＶデータは、ＤＳＰ（Ｄｉｇｉｔａｌ　Ｓｉｇｎａｌ　Ｐｒｏｃｅｓｓｏｒ）１２の制御により、順次ＲＧＢデータに変換され、再度ＲＡＭ１４に格納される。この格納されたＲＧＢデータは、所定のタイミングでＬＣＤ（Ｌｉｑｕｉｄ　Ｃｒｙｓｔａｌ　Ｄｉｓｐｌａｙ）インターフェース９に出力される。
【０００９】
ＬＣＤインターフェース９は、ＲＡＭ１４から読み出されたＲＧＢデータを、ピクセルクロック（ｐｃｌｋ）及び同期信号（ｓｙｎｃ）とともにＬＣＤモジュール１７のドライバ１８に供給する。ドライバ１８は、ＲＧＢデータを順次ＬＣＤ１９の所定の画素位置に供給することにより、そのＲＧＢデータをＬＣＤ１９に表示する。
【００１０】
なお、メインプロセッサ７は、ＭＰＵ１１によって制御されており、ＲＯＭ（Ｒｅａｄ　Ｏｎｌｙ　Ｍｅｍｏｒｙ）１５には、種々の処理プログラムが格納されている。
【００１１】
このような、画像表示インターフェース及び画像入力インターフェースをメインプロセッサに搭載することにより、撮像された画像をＬＣＤ等の画像表示部に表示させることができる。そして、このような構成を、携帯電話装置等の通信端末装置に搭載することにより、通信端末装置においても画像の撮像を行うことが可能となっている。
【００１２】
また、これらの通信端末装置が行う画像処理は、複雑化、高度化してきており、例えば動画像の撮像及び表示、テレビ電話機能、又は３次元グラフィック処理等の機能を搭載したものも考えられている。また、複数のカメラやＬＣＤを搭載した通信端末装置も考えられている。
【００１３】
これらの複雑な機能を搭載した携帯電話装置等の通信端末装置に対応するために、メインプロセッサに画像処理を行うためのサブ画像処理プロセッサを搭載する方法が一般化している（例えば非特許文献１参照。）。
【００１４】
このような構成の通信端末装置の構成を図１５に示す。図１５は従来の通信端末装置３０の構成のうち、特に画像撮像装置及び画像表示装置を抽出して示したブロックであり、図１４と同一の構成となる部分には同一符号を付して詳しい説明は省略する。
【００１５】
図１５において、通信端末装置３０は、カメラモジュール２から出力されるＹＵＶデータを、サブ画像処理プロセッサ３１のカメラインターフェース３２に受ける。カメラインターフェース３２は、信号処理部４からのＹＵＶデータを一旦バッファリングした後、これを順次画像処理プロセッサ３５を介してＲＡＭ３４に格納する。
【００１６】
ＲＡＭ３４に格納されたＹＵＶデータは、ＤＳＰ（Ｄｉｇｉｔａｌ　Ｓｉｇｎａｌ　Ｐｒｏｃｅｓｓｏｒ）１２の制御により、順次画像処理プロセッサ３５に読み出されて、ここでＲＧＢデータに変換され、再度ＲＡＭ３４に格納される。この格納されたＲＧＢデータは、所定のタイミングでＬＣＤ（Ｌｉｑｕｉｄ　Ｃｒｙｓｔａｌ　Ｄｉｓｐｌａｙ）インターフェース３３に出力される。
【００１７】
ＬＣＤインターフェース３３は、ＲＡＭ３４から読み出されたＲＧＢデータをＬＣＤモジュール１７のドライバ１８に供給する。ドライバ１８は、ＲＧＢデータを順次ＬＣＤ１９の所定の画素位置に供給することにより、そのＲＧＢデータをＬＣＤ１９に表示する。
【００１８】
このように、通信端末装置３０では、画像処理を行うためのサブ画像処理プロセッサ３１をメインプロセッサに搭載することにより、複雑な画像処理を可能としている。
【００１９】
なお、図１４及び図１５に示した通信端末装置１及び３０において、カメラモジュール２からの出力画像は、一般に画像記録を行う際の画像サイズに合わせて出力されることが一般的であり、例えば、３ＧＧＰに記載されている３Ｇ−３２４規格で定義されているテレビ電話機能を実現するためには、ＱＣＩＦ（Ｑｕａｒｔｅｒ　Ｃｏｍｍｏｎ　Ｉｎｔｅｒｍｅｄｉａｔｅ　Ｆｏｒｍａｔ）サイズ（１７６×１４４ドット）の画像を出力する。又は、カメラモジュール２のＣＣＤが持つ画素数の画像をそのまま出力する場合もある。
【００２０】
【非特許文献１】
Ａ　ＭＰＥＧ４　Ｐｒｏｇｒａｍｍａｂｌｅ　Ｃｏｄｅｃ　ＤＳＰ　ｗｉｔｈ　ａｎ　Ｅｍｂｅｄｄｅｄ　Ｐｒｅ／Ｐｏｓｔ−ｐｒｏｃｅｓｓｉｎｇ　Ｅｎｇｉｎｅ（ＩＥＥＥ　１９９９　Ｃｕｓｔｏｍ　Ｉｎｔｅｇｒａｔｅｄ　Ｃｉｒｃｕｉｔｓ　Ｃｏｎｆｅｒｅｎｃｅ）
【００２１】
【発明が解決しようとする課題】
しかしながら、近年の携帯電話装置等の通信端末装置では、画像処理が複雑化かつ高画素化しており、例えば、ＶＧＡ（Ｖｉｄｅｏ　Ｇｒａｐｈｉｃｓ　Ａｒｒａｙ）サイズ（６４０×４８０ドット）の静止画記録や、ＣＩＦ（Ｃｏｍｍｏｎ　Ｉｎｔｅｒｍｅｄｉａｔｅ　Ｆｏｒｍａｔ）サイズ（３５２×２８８ドット）の動画記録を行うようにしたものもある。さらには、表示手段であるＬＣＤ等も高画素化が進んでおり、ＱＶＧＡ（Ｑｕａｒｔｅｒ　ＶＧＡ）サイズ（３２０×２４０ドット）のＬＣＤを搭載する機器もある。
【００２２】
このように、画像処理の複雑化及び高画素化が進むことにより、その画像処理を行うためのプロセッサの性能やバスバンド幅が増大してきており、また、表示手段であるＬＣＤ等の高画素化に対して、高品位な画像の表示が要求されている。
【００２３】
本発明はかかる点に鑑みてなされたものであり、比較的容易な機能追加で、高品位の画像表示及び低消費電力化、さらには汎用性ある画像表示を実現し得る画像処理装置、画像処理方法及び通信端末装置を提供することを目的とする。
【００２４】
【課題を解決するための手段】
本発明の画像処理装置は、撮像された画像のデータを符号化する画像符号化手段と、前記撮像された画像を表示する表示手段と、前記撮像された画像のサイズを、必要に応じて、前記画像符号化前に縮小処理する第１の画像縮小手段と、前記撮像された画像のサイズを、必要に応じて、前記表示前に縮小処理する第２の画像縮小手段と、を具備する構成を採る。
【００２５】
この構成によれば、画像品質の劣化を伴うことなく、カメラモジュールから供給される入力画像の画像サイズとは異なる画像サイズでなる表示画像及び符号化画像を得ることができる。また、表示画像及び符号化画像をそれぞれ別個に縮小処理することにより、互いに異なる画像サイズでなる表示画像及び符号化画像を得ることができる。
【００２６】
本発明の画像処理装置は、撮像された画像のデータを符号化する画像符号化手段と、前記撮像された画像を表示する表示手段と、前記撮像された画像を前記画像符号化手段及び前記表示手段において必要とされる最大の画像サイズに縮小する第１の縮小手段と、前記第１の縮小手段によって縮小された画像を、前記画像符号化手段及び又は前記表示手段で必要とされる画像サイズに縮小する第２の縮小手段と、を具備する構成を採る。
【００２７】
この構成によれば、撮像された画像のデータサイズを小さくしてカメラモジュール（撮像部）から画像処理部に供給するようにしたことにより、カメラモジュールと画像処理部との間での高速クロックの引き回しや、負荷容量による電力増加といった状態を回避することができる。従って、カメラモジュールからの出力信号をフレキシブル配線等で出力させる構成では、電気ノイズの発生や消費電力の増大を防ぐことができる。かくして、画像品質の劣化を伴うことなく、所望の画像サイズをその用途ごとに得ることができる構成を、一段と低ノイズ及び低消費電力で実現することができる。
【００２８】
本発明の画像処理装置は、上記構成において、前記第１の縮小手段は、前記画像のアスペクト比を変更する手段を更に具備する構成を採る。
【００２９】
この構成によれば、符号化画像及び表示画像の共通の要素（アスペクト比及び最大画像サイズ）を満足するように、画像処理部の前段処理部であるカメラモジュール（撮像部）において撮像された画像のリサイズ処理を行うことにより、画像処理部において符号化画像及び表示画像を得るための複雑な画像処理を別個に行う場合に比べて、システム全体として、一段と容易に画像処理を行うことが可能となる。また、カメラモジュールにおけるリサイズ処理及び画像処理部における画像処理のいずれにおいても、画像を縮小するような処理を行うことにより、画像品質の劣化を回避することができる。かくして、画像品質の劣化を伴うことなく、所望の画像サイズをその用途ごとに得ることができる構成を、一段と容易に実現することができる。
【００３０】
本発明の画像処理装置は、撮像された画像のデータを必要に応じて符号化する画像符号化手段と、前記撮像された画像又は前記符号化された画像のいずれかを選択的に出力する選択手段と、前記選択手段から出力される前記撮像された画像を表示する表示手段と、前記撮像された画像及び又は前記符号化された画像を縮小処理する縮小手段と、を具備する構成を採る。
【００３１】
この構成によれば、静止画像の撮像時において、カメラモジュール（撮像部）から出力される画像データ量を少なくすることができることにより、カメラモジュールと画像処理部との間での高速クロックの引き回しや、負荷容量による電力増加といった状態を回避することができ、電気ノイズの発生や消費電力の増大を防ぐことができる。また、カメラモジュールにおける縮小処理及び画像処理部における画像処理のいずれにおいても、画像を縮小するような処理を行うことにより、画像品質の劣化を回避することができる。かくして、画像品質の劣化を伴うことなく、所望の画像サイズをその用途ごとに得ることができる構成を、一段と低ノイズ及び低消費電力で実現することができる。
【００３２】
本発明の画像処理方法は、撮像された画像のデータを符号化する画像符号化工程と、前記撮像された画像を表示する表示工程と、前記撮像された画像のサイズを、必要に応じて、前記画像符号化前に縮小処理する第１の画像縮小工程と、前記撮像された画像のサイズを、必要に応じて、前記表示前に縮小処理する第２の画像縮小工程と、を具備するようにした。
【００３３】
この方法によれば、画像品質の劣化を伴うことなく、カメラモジュールから供給される入力画像の画像サイズとは異なる画像サイズでなる表示画像及び符号化画像を得ることができる。また、表示画像及び符号化画像をそれぞれ別個に縮小処理することにより、互いに異なる画像サイズでなる表示画像及び符号化画像を得ることができる。
【００３４】
本発明の画像処理方法は、撮像された画像のデータを符号化する画像符号化工程と、前記撮像された画像を表示する表示工程と、前記撮像された画像を前記画像符号化工程及び前記表示工程において必要とされる最大の画像サイズに縮小する第１の縮小工程と、前記第１の縮小工程によって縮小された画像を、前記画像符号化工程及び又は前記表示工程で必要とされる画像サイズに縮小する第２の縮小工程と、を具備するようにした。
【００３５】
この方法によれば、撮像された画像のデータサイズを小さくしてカメラモジュール（撮像部）から画像処理部に供給するようにしたことにより、カメラモジュールと画像処理部との間での高速クロックの引き回しや、負荷容量による電力増加といった状態を回避することができる。従って、カメラモジュールからの出力信号をフレキシブル配線等で出力させる構成では、電気ノイズの発生や消費電力の増大を防ぐことができる。かくして、画像品質の劣化を伴うことなく、所望の画像サイズをその用途ごとに、低ノイズ及び低消費電力で得ることができる。
【００３６】
本発明の画像処理方法は、上記工程において、前記第１の縮小工程では、前記画像のアスペクト比を変更する工程を更に具備するようにした。
【００３７】
この方法によれば、符号化画像及び表示画像の共通の要素（アスペクト比及び最大画像サイズ）を満足するように、画像処理部の前段処理部であるカメラモジュール（撮像部）において撮像された画像のリサイズ処理を行うことにより、画像処理部において符号化画像及び表示画像を得るための複雑な画像処理を別個に行う場合に比べて、システム全体として、一段と容易に画像処理を行うことが可能となる。また、カメラモジュールにおけるリサイズ処理及び画像処理部における画像処理のいずれにおいても、画像を縮小するような処理を行うことにより、画像品質の劣化を回避することができる。かくして、画像品質の劣化を伴うことなく、所望の画像サイズをその用途ごとに低ノイズ及び低消費電力で得ることができる。
【００３８】
本発明の画像処理方法は、撮像された画像のデータを必要に応じて符号化する画像符号化工程と、前記撮像された画像又は前記符号化された画像のいずれかを選択的に出力する選択工程と、前記選択工程を介して出力される前記撮像された画像を表示する表示工程と、前記撮像された画像及び又は前記符号化された画像を縮小処理する縮小工程と、を具備するようにした。
【００３９】
この方法によれば、静止画像の撮像時において、カメラモジュール（撮像部）から出力される画像データ量を少なくすることができることにより、カメラモジュールと画像処理部との間での高速クロックの引き回しや、負荷容量による電力増加といった状態を回避することができ、電気ノイズの発生や消費電力の増大を防ぐことができる。また、カメラモジュールにおける縮小処理及び画像処理部における画像処理のいずれにおいても、画像を縮小するような処理を行うことにより、画像品質の劣化を回避することができる。かくして、画像品質の劣化を伴うことなく、所望の画像サイズをその用途ごとに一段と低ノイズ及び低消費電力で得ることができる。
【００４０】
本発明の通信端末装置は、通信手段を有する通信端末装置であって、撮像された画像のデータを符号化する画像符号化手段と、前記撮像された画像を表示する表示手段と、前記撮像された画像のサイズを、必要に応じて、前記画像符号化前に縮小処理する第１の画像縮小手段と、前記撮像された画像のサイズを、必要に応じて、前記表示前に縮小処理する第２の画像縮小手段と、を具備する構成を取る。
【００４１】
この構成によれば、通信端末装置において、画像品質の劣化を伴うことなく、カメラモジュールから供給される入力画像の画像サイズとは異なる画像サイズでなる表示画像及び符号化画像を得ることができる。また、表示画像及び符号化画像をそれぞれ別個に縮小処理することにより、互いに異なる画像サイズでなる表示画像及び符号化画像を得ることができる。
【００４２】
【発明の実施の形態】
本発明の骨子は、撮像された画像を、表示手段及び画像符号化手段において各々必要とされる画像サイズに縮小することにより、高品位の表示画像及び符号化画像を得ることである。
【００４３】
以下、本発明の実施の形態について、図面を参照して詳細に説明する。
【００４４】
（実施の形態１）
図１４との対応部分に同一符号を付して示す図１は、本発明の実施の形態１に係る通信端末装置（携帯電話装置）１００の構成を示すブロック図である。この通信端末装置１００は、画像の撮像を行うカメラモジュール２と、撮像した画像を入力し、画像符号化、画像表示処理を行う画像処理部１１１と、作成された表示画像の表示を行うＬＣＤモジュール１７とを含んでいる。
【００４５】
通信端末装置１００において、カメラモジュール２の撮像部３は、ＣＣＤ等の撮像素子によって被写体画像を光電変換し、信号処理部４に供給する。信号処理部４は、撮像部３から供給された撮像信号に対して、ＹＣ処理、ホワイトバランス処理等の信号処理を行った後、これを１ピクセルごとに輝度及び色差成分からなるＹＵＶデータとしてメインプロセッサ１１０の画像処理部１１１に供給する。
【００４６】
この場合、信号処理部４は、ＹＵＶデータを画素単位で転送するためのピクセルクロック（ｐｃｌｋ）、水平同期信号及び垂直同期信号を含む同期信号（ｓｙｎｃ）をＹＵＶデータとともにメインプロセッサ１１０に供給する。
【００４７】
画像処理部１１１は、カメラモジュール２から供給されたＹＵＶデータを一旦ＲＡＭ１４に格納した後、これをＲＡＭ１４から読み出してＲＧＢデータに変換した後、再度ＲＡＭ１４に格納する。なお、カメラモジュール２からＲＧＢデータを出力するようにしてもよく、この場合には、そのＲＧＢデータはＲＡＭ１４に格納される。
【００４８】
また、画像処理部１１１は、ＲＡＭ１４に格納されたＲＧＢデータに対して、必要に応じて縮小処理（後述）を施し、この縮小処理されたデータをＭＲＥＧ４やＪＰＥＧ等の画像符号化処理によって圧縮符号化する。この符号化データは、ＲＡＭ１４に格納される。また、一方、画像処理部１１１は、ＲＡＭ１４に格納されているＲＧＢデータに対して、必要に応じて縮小処理（後述）を施し、この縮小処理されたＲＧＢデータを、ピクセルクロック及び同期信号とともにＬＣＤモジュール１７のドライバ１８に供給する。ドライバ１８は、ＲＧＢデータを順次ＬＣＤ１９の所定の画素位置に供給することにより、そのＲＧＢデータをＬＣＤ１９に表示する。画像処理部１１１の詳細な説明は後述する。
【００４９】
なお、メインプロセッサ１１０は、ＭＰＵ１０１によって制御されており、ＲＯＭ（Ｒｅａｄ　Ｏｎｌｙ　Ｍｅｍｏｒｙ）１５には、種々の処理プログラムが格納されている。
【００５０】
また、通信端末装置１００の携帯電話機能を実現するための構成として、マイク１０４を介して電気信号に変換されてなる音声信号は、ＤＳＰ１０２の制御の基、ＰＣＭ（Ｐｕｌｓｅ　Ｃｏｄｅ　Ｍｏｄｕｌａｔｉｏｎ）コーデック１０３においてデジタル信号に符号化され、ベースバンド信号処理部１１５に供給される。
【００５１】
ベースバンド処理部１１５は、供給された音声データをアナログ信号に変換した後、変調処理等を施した後、これをＲＦ（Ｒａｄｉｏ　Ｆｒｅｑｕｅｎｃｙ）部１１６に供給することにより、無線帯域に周波数変換し、アンテナ１１７を介して送信する。
【００５２】
また、アンテナ１１７において受信された信号は、ＲＦ部１１６においてベースバンド帯域に周波数変換された後、ベースバンド信号処理部１１５において復調処理される。この復調処理された信号は、デジタルデータに変換された後、バス変換部１３、ＤＳＰ１０２を介してＰＣＭコーデック１０３に供給され、ここでアナログ信号に変換される。アナログ信号に変換された信号は、レシーバスピーカ１０５において電気信号から音声波に変換されて出力される。
【００５３】
次に、画像処理部１１１の詳細について説明する。図１との対応部分に同一符号を付し示す図２は、図１に示した通信端末装置１００のうち、カメラモジュール２、画像処理部１１１及びＬＣＤモジュール１７の機能部を抽出して示したブロック図である。
【００５４】
この図２に示されるように、カメラモジュール２から出力されたＹＵＶデータは、画像処理部１１１のカメラインターフェース８を介して縮小処理部１２１及び１２３に供給される。縮小処理部１２１は、入力されたＹＵＶデータに対して、必要に応じてその画像を間引き処理及び補間処理することにより縮小し、この縮小された画像データを画像符号化部１２２に供給する。画像符号化部１２２は、入力された画像データをＭＰＥＧ４等の手法によって圧縮符号化処理する。この圧縮符号化された符号化データ（動画データ）は、図１に示したＲＡＭ１４に格納される。なお、撮像された画像を静止画として記録する場合には、画像符号化部１２２においてその画像データをＪＰＥＧ等の静止画用の符号化処理によって圧縮符号化する。
【００５５】
また、縮小処理部１２３は、入力されたＹＵＶデータに対して、必要に応じてその画像を間引き処理及び補間処理することにより縮小し、この縮小された画像データをＬＣＤインターフェース１２４を介してＬＣＤモジュール１７に供給する。
【００５６】
図３及び図４は、図２に示した画像処理部１１１の動作を説明する略線図である。図３に示されるように、カメラモジュール２から供給される入力画像１４０は、そのサイズが（横）３２０×（縦）２４０ドットのＱＶＧＡサイズとなっているとする。この入力画像１４０は、画像処理部１１１の縮小処理部１２１において縮小処理されずにそのままのサイズで符号化画像１４１として画像符号化部１２２に供給される。
【００５７】
これに対して、縮小処理部１２３は、カメラモジュール２から供給された入力画像１４０に対して、間引き処理及び補間処理を施すことにより、その画像サイズを（横）２４０×（縦）１８０ドットに縮小し、これを表示画像１４２としてＬＣＤ１９に表示させる。ＬＣＤ１９は、図３に示すように、縦長の表示領域１４３を有しており、縮小処理部１２３は、この表示領域１４３の横方向のサイズ（２４０ドット）の大きさに合うように、入力画像１４０を縮小処理するのである。
【００５８】
このように、（横）３２０×（縦）２４０ドットの画像サイズでなる入力画像は、ＬＣＤ１９の表示領域１４３の大きさに合わせて縮小処理されるとともに、画像符号化部１２２に対しては、その画像サイズを縮小することなく供給される。すなわち、表示画像１４２と符号化画像（記録画像）１４１のうち、大きい画像サイズである記録画像のピクセル数に合わせたサイズの入力画像１４０をカメラモジュール２から入力し、ＬＣＤ１９への表示の直前においてその入力画像１４０を縮小処理して表示画像１４２を得る。
【００５９】
これにより、符号化画像１４２の画像サイズよりも表示画像１４２の画像サイズが小さい場合には、カメラモジュール２から出力される入力画像１４０の画像サイズを画像符号化部１２２に供給される符号化画像１４１の画像サイズに合わせることで、画像符号化部１２２に供給される符号化画像１４１の画像サイズは縮小することなく、表示画像１４２のみを縮小処理することで、符号化画像１４１及び表示画像１４２を得ることができる。
【００６０】
すなわち、画像符号化部１２２及びＬＣＤ表示用に２つの独立した縮小処理部１２１及び１２３を設けることにより、各々の画像サイズを独立して制御することができ、大きい画像サイズに合わせた画像サイズの入力画像１４０をカメラモジュール２から受け取るようにすることで、相対的に小さい画像サイズが必要となる方（図３に示した例の場合は表示画像１４２）のみを縮小処理すれば、所望サイズの符号化画像１４１及び表示画像１４２を得ることができる。
【００６１】
この結果、符号化画像１４１及び表示画像１４２の画像サイズが異なる場合であっても、拡大処理する必要が無くなり、拡大処理による画質の劣化を回避することができる。因みに、画像サイズを拡大処理すると、例えば１ドット分の画像を数ドットで表すこととなり、この分、画質が劣化することとなる。
【００６２】
また、図４は、ＬＣＤ１９の表示領域１４３（ＱＶＧＡサイズ）の全体に表示画像１４２を表示させるのに対して、画像符号化部１２２に供給される符号化画像１４１の画像サイズが、表示画像１４２の画像サイズ（ＱＶＧＡサイズ）よりも小さい（ＱＱＶＧＡサイズ）場合を示している。すなわち、通信端末装置１００においては、符号化画像１４１の画像サイズを設定することが可能となっており、この設定によって、符号化画像１４１の画像サイズが変更されることがあり、図４では、符号化画像１４１の画像サイズが表示画像１４２の画像サイズ（ＱＶＧＡサイズ）よりも小さいサイズ（ＱＱＶＧＡサイズ）として設定された場合を示している。
【００６３】
この場合、図３の場合と同様にして、カメラモジュール２から供給される入力画像１４０は、そのサイズが（横）３２０×（縦）２４０ドットのＱＶＧＡサイズとなっているとすると、この入力画像１４０は、画像処理部１１１の縮小処理部１２３において縮小処理されずにそのままのサイズ（ＱＶＧＡサイズ）で表示画像１４２としてＬＣＤモジュール１７に供給される。
【００６４】
これに対して、縮小処理部１２１は、カメラモジュール２から供給された入力画像１４０に対して、間引き処理及び補間処理を施すことにより、その画像サイズを（横）１６０×（縦）１２０ドットのＱＱＶＧＡサイズに縮小し、これを符号化画像１４１として画像符号化部１２２に供給する。
【００６５】
このように、（横）３２０×（縦）２４０ドットの画像サイズでなる入力画像は、符号化画像１４１の大きさに合わせて縮小処理されるとともに、表示画像１４２としては、その画像サイズを縮小することなくＬＣＤモジュール１７に供給される。すなわち、表示画像１４２と符号化画像（記録画像）１４１のうち、大きい画像サイズである表示画像のピクセル数に合わせたサイズの入力画像１４０をカメラモジュール２から入力し、画像符号化部１２２へ供給する直前においてその入力画像１４０を縮小処理して符号化画像１４１を得る。
【００６６】
これにより、表示画像１４２の画像サイズよりも符号化画像１４２の画像サイズが小さい場合には、カメラモジュール２から出力される入力画像１４０の画像サイズを表示画像１４２の画像サイズに合わせることで、ＬＣＤモジュール１７に供給される表示画像１４２の画像サイズは縮小することなく、符号化画像１４１のみを縮小処理することで、符号化画像１４１及び表示画像１４２を得ることができる。
【００６７】
すなわち、画像符号化部１２２及びＬＣＤ表示用に２つの独立した縮小処理部１２１及び１２３を設けることにより、各々の画像サイズを独立して制御することができ、大きい画像サイズに合わせた画像サイズの入力画像１４０をカメラモジュール２から受け取るようにすることで、相対的に小さい画像サイズが必要となる方（図３に示した例の場合は符号化画像１４１）のみを縮小処理すれば、所望サイズの符号化画像１４１及び表示画像１４２を得ることができる。
【００６８】
この結果、符号化画像１４１及び表示画像１４２の画像サイズが異なる場合であっても、拡大処理する必要が無くなり、拡大処理による画質の劣化を回避することができる。図４の場合、表示画像１４２の画像サイズを、カメラモジュール２から供給される入力画像１４０の画像サイズと同一のピクセル数とすることにより、この表示画像１４２を拡大処理する必要がなくなり、画質の劣化を回避して、高品位な表示画像をＬＣＤ１９において得ることができる。
【００６９】
図５は、画像処理部１１１における画像処理手順を示すフローチャートである。この場合、入力画像１４０が、符号化画像１４１の画像サイズ及び表示画像１４２の画像サイズよりも大きいようになされている。図５において、画像処理部１１１は、ステップＳＴ１０１において、符号化画像１４１の画像サイズが入力画像１４０の画像サイズと同一であるか否かを判断する。
【００７０】
ここで肯定結果が得られると、このことは、符号化画像１４１として設定されている画像サイズが入力画像１４０の画像サイズと等しいことを意味しており、このとき画像処理部１１１は、ステップＳＴ１０３に移って入力画像１４０の画像サイズのままの符号化画像１４１を符号化する。
【００７１】
これに対してステップＳＴ１０１において否定結果が得られると、このことは、符号化画像１４１として設定されている画像サイズが、入力画像１４０の画像サイズよりも小さいことを意味しており、このとき画像処理部１１１は、ステップＳＴ１０２に移って、縮小処理部１２１において入力画像１４０を縮小処理することで符号化画像１４１を得た後、ステップＳＴ１０３に移って、この縮小された符号化画像１４１を符号化する。
【００７２】
そして、画像処理部１１１は、ステップＳＴ１０４に移って、表示画像１４２のとして設定されている画像サイズが入力画像１４０の画像サイズと同一であるか否かを判断する。
【００７３】
ここで肯定結果が得られると、このことは、表示画像１４２として設定されている画像サイズが入力画像１４０の画像サイズと等しいことを意味しており、このとき画像処理部１１１は、ステップＳＴ１０６に移って入力画像１４０の画像サイズのままの表示画像１４２をＬＣＤ１９に表示する。
【００７４】
これに対してステップＳＴ１０４において否定結果が得られると、このことは、表示画像１４２として設定されている画像サイズが、入力画像１４０の画像サイズよりも小さいことを意味しており、このとき画像処理部１１１は、ステップＳＴ１０５に移って、縮小処理部１２３において入力画像１４０を表示画像１４２として要求される大きさに合わせて縮小処理することで表示画像１４２を得た後、ステップＳＴ１０６に移って、この縮小された表示画像１４２をＬＣＤ１９に表示する。
【００７５】
このように、画像処理部１１１では、入力画像１４０に対して、そのとき設定されている符号化画像１４１及び表示画像１４２として必要な画像サイズが一致しているか否かを判断し、その判断結果に基づいて、必要な場合には入力画像を縮小処理することで所望の画像サイズを得ることができる。
【００７６】
これにより、画像の劣化を生じることなく、異なる画像サイズの符号化画像１４１及び表示画像１４２を得ることができる。
【００７７】
このように、本実施の形態の通信端末装置１００によれば、画像品質の劣化を伴うことなく、カメラモジュール２から供給される入力画像の画像サイズとは異なる画像サイズでなる表示画像１４２及び符号化画像１４１を得ることができる。また、表示画像１４２及び符号化画像１４１をそれぞれ別個に縮小処理することにより、互いに異なる画像サイズでなる表示画像１４２及び符号化画像１４１を得ることができる。また、画像処理部１１１を半導体構成としたことにより、低コスト化を図ることもできる。
【００７８】
なお、上述の実施の形態においては、図２に示したように、画像処理部１１１の各ブロックをハードウエア構成とした場合について述べたが、本発明はこれに限らず、例えば、図２との対応部分に同一符号を付して示す図６に示されるように、画像処理部１１１の各ブロック（カメラインターフェース８、縮小処理部１２１、１２３、画像符号化部１２２及びＬＣＤインターフェース１２４）を画像処理ＬＳＩ１３０によって統合化するように構成してもよい。このようにすれば、画像処理部１１１を半導体によって統合化することにより、低コスト化を図ることができる。因みに、画像符号化部１２２は、別半導体によって構成するようにしてもよい。
【００７９】
また、上述の実施の形態においては、図２及び図６に示したように、画像処理部１１１の各ブロックによって、画像の縮小処理や符号化処理を行う場合について述べたが、本発明はこれに限らず、例えば図７に示されるように、画像処理部１１１の各機能（縮小処理、画像符号化処理）を画像処理プロセッサ１５０によって実現するようにしてもよい。この場合、画像処理プロセッサ１５０、カメラインターフェース８及びＬＣＤインターフェース１２４は、半導体によって統合化した構成（画像処理ＬＳＩ１５１）とする。
【００８０】
そして、図５に示した画像処理手順を実行するためのプログラムをＲＯＭ１５２に予め格納しておき、画像処理プロセッサ１５０は、このＲＯＭ１５２に格納されているプログラムに従って画像処理を実行する。このように、画像処理をソフトウエアによって実現することにより、低コスト化を図ることができる。
【００８１】
また、本発明では、図７の構成に代えて、図８に示されるように、図５に示した画像処理手順を実行するためのプログラムを、ＣＤ−ＲＯＭ等の外部記憶媒体１６４に格納しておき、読み取り部１６３によって、この外部記憶媒体１６４からプログラムを読み取り、ＲＡＭ１６２に格納するようにしてもよい。画像処理プロセッサ１５０は、ＲＡＭ１６２に格納されたプログラムに従って、図５に示した画像処理を実行する。
【００８２】
このように、外部記憶媒体１６４に画像処理プログラムを格納して利用することにより、コンピュータ構成の装置においても、本発明の画像処理を実現することが可能となる。
【００８３】
また、上述の実施の形態においては、本発明を携帯電話装置に適用する場合について述べたが、本発明はこれに限らず、ＰＤＡ（Ｐｅｒｓｏｎａｌ　Ｄｉｇｉｔａｌ　Ａｓｓｉｓｔａｎｃｅ）等の他の種々の通信端末装置、又は、通信機能を持たない端末装置に広く適用することができる。
【００８４】
（実施の形態２）
図９は、本発明の実施の形態２に係る通信端末装置の画像処理部１１１、カメラモジュール２０２及びＬＣＤモジュール１７の構成を示すブロック図である。但し、図１及び図２と同一の構成となるものについては、図１及び図２と同一番号を付し、詳しい説明を省略する。
【００８５】
図９に示すカメラモジュール２０２は、図２に示したカメラモジュール２と比較して、縮小処理部２０１を有する点が異なる。この縮小処理部２０１は、信号処理部４から出力されたＹＵＶデータを縮小処理するようになされている。
【００８６】
この実施の形態では、図１０に示すように、撮像部３のＣＣＤ（センサ）から出力されるセンサ出力画像１４４の画素数を、（横）６４０×（縦）４８０ドットでなるＶＧＡサイズとし、符号化画像１４１及び表示画像１４２の各画像サイズを（横）３２０×（縦）２４０ドットのＱＶＧＡサイズとする場合について説明する。
【００８７】
カメラモジュール２０２において信号処理部から出力されたセンサ出力画像１４４は、カメラモジュール２０２に設けられた縮小処理部２０１において間引き処理及び補間処理によって縮小処理される。
【００８８】
この場合、縮小処理部２０１は、符号化画像１４１及び表示画像１４２のうち、画像サイズの大きな方と同じ画像サイズにセンサ出力画像１４４を縮小処理する。すなわち、縮小処理部２０１では、センタ出力画像１４４を、画像処理部１１１において必要とされる最大の画像サイズに縮小処理する。この実施の形態の場合、符号化画像１４１及び表示画像１４２は、同じ画像サイズ（３２０×２４０ドット）であることにより、カメラモジュール２０２の縮小処理部２０１は、センサ出力画像１４４（６４０×４８０ドット）を、符号化画像１４１及び表示画像１４２の画像サイズ（３２０×２４０ドット）に縮小処理する。
【００８９】
このように縮小処理された画像は、センサ出力画像１４４に比べてデータサイズの小さな入力画像１４０としてカメラモジュール２０２から画像処理部１１１に供給される。
【００９０】
データサイズが小さくなった入力画像１４０をカメラモジュール２０２から画像処理部１１１に供給するようにしたことにより、カメラモジュール２０２と画像処理部１１１との間での高速クロックの引き回しや、負荷容量による電力増加といった状態を回避することができる。従って、カメラモジュール２０２からの出力信号をフレキシブル配線等で出力させる構成では、電気ノイズの発生や消費電力の増大を防ぐことができる。
【００９１】
このように、本実施の形態の通信端末装置によれば、画像品質の劣化を伴うことなく、所望の画像サイズをその用途ごとに得ることができる構成を、一段と低ノイズ及び低消費電力で実現することができる。
【００９２】
なお、上述の実施の形態においては、図９に示したように、画像処理部１１１及びカメラモジュール２０２の縮小処理部２０１の各ブロックをハードウエア構成とした場合について述べたが、本発明はこれに限らず、画像処理部１１１の各ブロック（カメラインターフェース８、縮小処理部１２１、１２３、画像符号化部１２２及びＬＣＤインターフェース１２４）及びカメラモジュール２０２の縮小処理部２０１を画像処理ＬＳＩによって構成してもよい。このようにすれば、低コスト化を図ることができる。因みに、画像符号化部１２２は、別半導体によって構成するようにしてもよい。
【００９３】
また、上述の実施の形態においては、図９に示したように、画像処理部１１１の各ブロック及びカメラモジュール２０２の縮小処理部２０１によって、画像の縮小処理や符号化処理を行う場合について述べたが、本発明はこれに限らず、画像処理部１１１及び縮小処理部２０１の各機能（縮小処理、画像符号化処理）を画像処理プロセッサによって実現するようにしてもよい。この場合、画像処理プロセッサは、半導体構成とする。このように、画像処理をソフトウエアによって実現することにより、低コスト化を図ることができる。
【００９４】
また、本発明では、図９について上述した画像処理を実行するためのプログラムを、ＣＤ−ＲＯＭ等の外部記憶媒体に格納しておき、この外部記憶媒体からプログラムを読み取り、このプログラムに従って、画像プロセッサによる画像処理を実行するようにしてもよい。このように、外部記憶媒体に画像処理プログラムを格納して利用することにより、コンピュータ構成の装置においても、本発明の画像処理を実現することが可能となる。
【００９５】
また、上述の実施の形態においては、本発明を携帯電話装置に適用する場合について述べたが、本発明はこれに限らず、ＰＤＡ（Ｐｅｒｓｏｎａｌ　Ｄｉｇｉｔａｌ　Ａｓｓｉｓｔａｎｃｅ）等の他の種々の通信端末装置、又は、通信機能を持たない端末装置に広く適用することができる。
【００９６】
（実施の形態３）
図１１は、本発明の実施の形態３に係る通信端末装置の画像処理部１１１、カメラモジュール３０２及びＬＣＤモジュール１７の構成を示すブロック図である。但し、図１及び図２と同一の構成となるものについては、図１及び図２と同一番号を付し、詳しい説明を省略する。
【００９７】
図１１に示すカメラモジュール３０２は、図２に示したカメラモジュール２と比較して、リサイズ処理部３０１を有する点が異なる。このリサイズ処理部３０１は、信号処理部４から出力されたＹＵＶデータのアスペクト比を変換するようになされている。
【００９８】
この実施の形態では、図１２に示すように、撮像部３のＣＣＤ（センサ）から出力されるセンサ出力画像１４４の画素数を、（横）６４０×（縦）４８０ドットでなるＶＧＡサイズとし、符号化画像１４１の画像サイズを、（横）１７５×（縦）１４４ドットでなるＱＣＩＦサイズとし、表示画像１４２の画像サイズを（横）２４０×（縦）１９６ドットサイズ（すなわち、ＱＶＧＡサイズを縦長にした場合の表示領域１４３の横幅に、横長の表示画像１４２の横幅を略合わせて表示させる場合のサイズ）とする場合について説明する。
【００９９】
撮像部３から出力されるセンサ出力画像１４４のアスペクト比は４：３であり、符号化画像１４１のアスペクト比は１１：９である。従って、カメラモジュール３０２のリサイズ処理部３０１では、符号化画像１４１として必要なアスペクト比（１１：９）にセンサ出力画像１４４のアスペクト比を変換するとともに、このアスペクト比が得られるとともに符号化画像１４１及び表示画像１４２の画像サイズのうちの大きなサイズと同等またはそれ以上の画像サイズとなるような縮小処理も行う。アスペクト比の変換は、図１２に示すように、不要な領域のデータをカットする方法等がある。
【０１００】
従って、リサイズ処理された入力画像１４０が画像処理部１１１に供給されることにより、画像処理部１１１では、入力画像１４０に対する切り出し処理やマスク処理といった複雑な画像処理を施すことなく、図２について上述した縮小処理を行うだけで、必要なアスペクト比及び画像サイズでなる符号化画像１４１及び表示画像１４２を得ることができる。
【０１０１】
このように、符号化画像１４１及び表示画像１４２の共通の要素（アスペクト比及び最大画像サイズ）を満足するように、画像処理部１１１の前段処理部であるカメラモジュール３０２においてセンサ出力画像１４４のリサイズ処理を行うことにより、画像処理部１１１において符号化画像１４１及び表示画像１４２を得るための複雑な画像処理を別個に行う場合に比べて、システム全体として、一段と容易に画像処理を行うことが可能となる。また、カメラモジュール３０２におけるリサイズ処理及び画像処理部における画像処理のいずれにおいても、画像を縮小するような処理を行うことにより、画像品質の劣化を回避することができる。
【０１０２】
このように、本実施の形態の通信端末装置によれば、画像品質の劣化を伴うことなく、所望の画像サイズをその用途ごとに得ることができる構成を、一段と容易に実現することができる。
【０１０３】
なお、上述の実施の形態においては、図１１に示したように、画像処理部１１１及びカメラモジュール３０２のリサイズ処理部３０１の各ブロックをハードウエア構成とした場合について述べたが、本発明はこれに限らず、画像処理部１１１の各ブロック（カメラインターフェース８、縮小処理部１２１、１２３、画像符号化部１２２及びＬＣＤインターフェース１２４）及びカメラモジュール３０２のリサイズ処理部３０１を画像処理ＬＳＩによって構成してもよい。このようにすれば、低コスト化を図ることができる。因みに、画像符号化部１２２は、別半導体によって構成するようにしてもよい。
【０１０４】
また、上述の実施の形態においては、図１１に示したように、画像処理部１１１の各ブロック及びカメラモジュール３０２のリサイズ処理部３０１によって、画像の縮小処理や符号化処理を行う場合について述べたが、本発明はこれに限らず、画像処理部１１１及びリサイズ処理部３０１の各機能（縮小処理、リサイズ処理、画像符号化処理）を画像処理プロセッサによって実現するようにしてもよい。この場合、画像処理プロセッサは、半導体構成とする。このように、画像処理をソフトウエアによって実現することにより、低コスト化を図ることができる。
【０１０５】
また、本発明では、図１１について上述した画像処理（リサイズ処理、縮小処理、画像符号化処理）を実行するためのプログラムを、ＣＤ−ＲＯＭ等の外部記憶媒体に格納しておき、この外部記憶媒体からプログラムを読み取り、このプログラムに従って、画像プロセッサによる画像処理を実行するようにしてもよい。このように、外部記憶媒体に画像処理プログラムを格納して利用することにより、コンピュータ構成の装置においても、本発明の画像処理を実現することが可能となる。
【０１０６】
また、上述の実施の形態においては、本発明を携帯電話装置に適用する場合について述べたが、本発明はこれに限らず、ＰＤＡ（Ｐｅｒｓｏｎａｌ　Ｄｉｇｉｔａｌ　Ａｓｓｉｓｔａｎｃｅ）等の他の種々の通信端末装置、又は、通信機能を持たない端末装置に広く適用することができる。
【０１０７】
（実施の形態４）
図１３は、本発明の実施の形態４に係る通信端末装置の画像処理部１１１、カメラモジュール４０２及びＬＣＤモジュール１７の構成を示すブロック図である。但し、図１、図２及び図１１と同一の構成となるものについては、図１及び図２と同一番号を付し、詳しい説明を省略する。
【０１０８】
図１３に示すカメラモジュール４０２は、図１１に示したカメラモジュール３０２と比較して、画像符号化部４０１を有する点が異なる。この画像符号化部４０１は、信号処理部４から出力されたＹＵＶデータを必要に応じてＪＰＥＧ等によって圧縮符号化するようになされている。
【０１０９】
この実施の形態では、撮像部３のＣＣＤ（センサ）から出力されるセンサ出力画像１４４の画素数を、（横）６４０×（縦）４８０ドットでなるＶＧＡサイズとし、表示画像の画像サイズを（横）３２０×（縦）２４０ドットのＱＶＧＡサイズとする場合について説明する。
【０１１０】
まず、プレビュー等のようにカメラモジュール４０２からの画像をＬＣＤに表示させる場合には、画像符号化部４０１によって圧縮符号化された符号化画像を出力せずに、リサイズ処理部３０１においてセンサ出力画像（ＶＧＡサイズ）を表示用のＱＶＧＡサイズにリサイズされた結果を画像処理部１１１に対して出力する。
【０１１１】
この場合、画像処理部１１１の縮小処理部１２３は、カメラモジュール４０２から供給されたＱＶＧＡサイズの画像をそのままの画像サイズでＬＣＤモジュール１７に出力する。
【０１１２】
これに対して、静止画像を１枚撮像する場合には、ＤＳＰ１０２（図１）からカメラモジュール４０２に対してＪＰＥＧ符号化画像の出力が指示される。これにより、カメラモジュール４０２では、切り替え部４０３がオフ状態に制御されると共に、信号処理部４から出力されるＶＧＡサイズのセンサ出力画像がリサイズ処理されずに直接画像符号化部４０１に供給される。そして、画像符号化部４０１の出力（ＪＰＥＧ符号化画像）が１枚分だけ画像処理部１１１に対して出力される。
【０１１３】
このＪＰＥＧ符号化画像は、必要に応じて縮小処理部１２１によって縮小処理された後、メモリ４０４に格納され、撮像処理が完了する。このように、カメラモジュール４０２において画像符号化処理を行うことにより、このカメラモジュール４０２から出力される画像データ（ＪＰＥＧ符号化画像）は、ＹＵＶデータとして出力される場合に比べて、１／６〜１／１０程度に圧縮されたものとなる。
【０１１４】
従って、静止画像の撮像時において、カメラモジュール４０２から出力される画像データ量を少なくすることができることにより、カメラモジュール４０２と画像処理部１１１との間での高速クロックの引き回しや、負荷容量による電力増加といった状態を回避することができ、電気ノイズの発生や消費電力の増大を防ぐことができる。また、カメラモジュール４０２におけるリサイズ処理及び画像処理部における画像処理のいずれにおいても、画像を縮小するような処理を行うことにより、画像品質の劣化を回避することができる。
【０１１５】
このように、本実施の形態の通信端末装置によれば、画像品質の劣化を伴うことなく、所望の画像サイズをその用途ごとに得ることができる構成を、一段と低ノイズ及び低消費電力で実現することができる。
【０１１６】
なお、上述の実施の形態においては、図１３に示したように、画像処理部１１１及びカメラモジュール４０２の画像符号化部４０１並びにリサイズ処理部３０１の各ブロックをハードウエア構成とした場合について述べたが、本発明はこれに限らず、画像処理部１１１の各ブロック（カメラインターフェース８、縮小処理部１２１、１２３、画像符号化部１２２及びＬＣＤインターフェース１２４）及びカメラモジュール４０２の画像符号化部４０１並びにリサイズ処理部３０１を画像処理ＬＳＩによって構成してもよい。このようにすれば、低コスト化を図ることができる。因みに、画像符号化部１２２は、別半導体によって構成するようにしてもよい。
【０１１７】
また、上述の実施の形態においては、図１３に示したように、画像処理部１１１の各ブロック及びカメラモジュール４０２の画像符号化部４０１並びにリサイズ処理部３０１によって、画像の縮小処理や符号化処理を行う場合について述べたが、本発明はこれに限らず、画像処理部１１１、画像符号化部４０１及びリサイズ処理部３０１の各機能（縮小処理、リサイズ処理、画像符号化処理）を画像処理プロセッサによって実現するようにしてもよい。この場合、画像処理プロセッサは、半導体構成とする。このように、画像処理をソフトウエアによって実現することにより、低コスト化を図ることができる。
【０１１８】
また、本発明では、図１３について上述した画像処理（リサイズ処理、縮小処理、画像符号化処理）を実行するためのプログラムを、ＣＤ−ＲＯＭ等の外部記憶媒体に格納しておき、この外部記憶媒体からプログラムを読み取り、このプログラムに従って、画像プロセッサによる画像処理を実行するようにしてもよい。このように、外部記憶媒体に画像処理プログラムを格納して利用することにより、コンピュータ構成の装置においても、本発明の画像処理を実現することが可能となる。
【０１１９】
また、上述の実施の形態においては、本発明を携帯電話装置に適用する場合について述べたが、本発明はこれに限らず、ＰＤＡ（Ｐｅｒｓｏｎａｌ　Ｄｉｇｉｔａｌ　Ａｓｓｉｓｔａｎｃｅ）等の他の種々の通信端末装置、又は、通信機能を持たない端末装置に広く適用することができる。
【０１２０】
【発明の効果】
以上説明したように、本発明によれば、表示手段に表示する画像及び画像符号化手段によって符号化する画像を撮像された画像からその画像品質を劣化させることなく得ることができる。
【図面の簡単な説明】
【図１】本発明に係る通信端末装置の構成を示すブロック図
【図２】実施の形態１に係る画像処理装置の構成を示すブロック図
【図３】実施の形態１の動作の説明に供する略線図
【図４】実施の形態１の動作の説明に供する略線図
【図５】実施の形態１の動作を説明するためのフローチャート
【図６】他の実施の形態の画像処理装置の構成を示すブロック図
【図７】他の実施の形態の画像処理装置の構成を示すブロック図
【図８】他の実施の形態の画像処理装置の構成を示すブロック図
【図９】実施の形態２に係る画像処理装置の構成を示すブロック図
【図１０】実施の形態２の動作の説明に供する略線図
【図１１】実施の形態３に係る画像処理装置の構成を示すブロック図
【図１２】実施の形態３の動作の説明に供する略線図
【図１３】実施の形態４に係る画像処理装置の構成を示すブロック図
【図１４】従来の通信端末装置の構成を示すブロック図
【図１５】従来の通信端末装置の構成を示すブロック図
【符号の説明】
２、２０２、３０２、４０２　カメラモジュール
３　撮像部
４　信号処理部
８　カメラインターフェース
１３　バス変換部
１７　ＬＣＤモジュール
１８　ドライバ
１９　ＬＣＤ
１００　通信端末装置
１０１　ＭＰＵ
１０２　ＤＳＰ
１０３　ＰＣＭコーデック
１０４　マイク
１０５　レシーバスピーカ
１１１　画像処理部
１１５　ベースバンド信号処理部
１１６　ＲＦ部
１１７　アンテナ
１２１、１２３、２０１　縮小処理部
１２２、４０１　画像符号化部
１２４　ＬＣＤインターフェース
１３０　画像処理ＬＳＩ
１４０　入力画像
１４１　符号化画像
１４２　表示画像
１４３　表示領域
１４４　センサ出力画像
１５０　画像処理プロセッサ
１６３　読み取り部
１６４　外部記憶媒体
３０１　リサイズ処理部
４０３　切り替え部
【図１】
2004140613.tif 000003
【図２】
2004140613.tif 000004
【図３】
2004140613.tif 000005
【図４】
2004140613.tif 000006
【図５】
2004140613.tif 000007
【図６】
2004140613.tif 000008
【図７】
2004140613.tif 000009
【図８】
2004140613.tif 000010
【図９】
2004140613.tif 000011
【図１０】
2004140613.tif 000012
【図１１】
2004140613.tif 000013
【図１２】
2004140613.tif 000014
【図１３】
2004140613.tif 000015
【図１４】
2004140613.tif 000016
【図１５】
2004140613.tif 000017